(57)【要約】【課題】本発明は、端子ピンのうちの少なくとも１個からなるアース用端子ピンを輪状ステータに接触させてアースを取ることにより、従来の外付けのアース取りをなくすことである。【解決手段】本発明によるレゾルバハーネスのシールド接続構造及び方法は、ハーネスシールド部(10)の各リード線(7,7a)のうちのアース用リード線(7a)がアース用金属舌片(20c)を介して各端子ピン(4,4a)のうちのアース用端子ピン(4a)に接続され、前記アース用端子ピン(4a)の曲折部(4c)が輪状ステータ(1)の一面(1a)に接触することにより、ハーネスシールド部(10)のアース取りができる構成と方法である。【選択図】図１
2015177716.tif 000002
【特許請求の範囲】
【請求項１】
所定角度間隔で内方又は外方に向けて突出する複数の突出磁極(2)を有する輪状ステータ(1)と、前記各突出磁極(2)に巻回されるステータ巻線と、前記輪状ステータ(1)の一面(1a)に設けられ複数の端子ピン(4,4a)を有する端子ピン保持部(30)と、前記端子ピン保持部(30)に接続されハーネスシールド部(10)を有するレゾルバハーネス(6)と、を備え、
前記ハーネスシールド部(10)はシールド接続手段(40)を介して前記輪状ステータ(1)の一面(1a)に導通接続されているレゾルバハーネスのシールド接続構造において、
前記シールド接続手段(40)は、前記端子ピン保持部(30)に設けられた前記各端子ピン(4,4a)のうちの少なくとも１個のアース用端子ピン(4a)の下端部(4b)に形成された曲折部(4c)よりなり、前記曲折部(４c)が前記一面(1a)に導通していることを特徴とするレゾルバハーネスのシールド接続構造。
【請求項２】
前記曲折部(4c)には突起(4d)が形成され、前記突起(4d)が前記一面(1a)に直接接触していることを特徴とする請求項１記載のレゾルバハーネスのシールド接続構造。
【請求項３】
前記端子ピン保持部(30)は、前記各端子ピン(4,4a)をインサート成形によって保持し前記一面(1a)に設けられた端子ピンホルダ(5)と、前記端子ピンホルダ(5)に設けられ前記レゾルバハーネス(6)の各リード線(7,7a)をインサート成形して有するハーネスホルダ(8)と、から構成され、前記各端子ピン(4,4a)は前記一面(1a)に形成された長孔(1b)を貫通していることを特徴とする請求項１又は２記載のレゾルバハーネスのシールド接続構造。
【請求項４】
前記各端子ピン(4,4a)と前記レゾルバハーネス(6)との間には、前記各端子ピン(4,4a)にその一端(20a)が接続された長手板状の金属舌片(20)が設けられていることを特徴とする請求項１ないし３の何れか１項に記載のレゾルバハーネスのシールド接続構造。
【請求項５】
所定角度間隔で内方又は外方に向けて突出する複数の突出磁極(2)を有する輪状ステータ(1)と、前記各突出磁極(2)に巻回されるステータ巻線と、前記輪状ステータ(1)の一面(1a)に設けられ複数の端子ピン(4,4a)を有する端子ピン保持部(30)と、前記端子ピン保持部(30)に接続されハーネスシールド部(10)を有するレゾルバハーネス(6)と、を備え、
前記ハーネスシールド部(10)はシールド接続手段(40)を介して前記輪状ステータ(1)の一面(1a)に導通接続されているレゾルバハーネスのシールド接続構造において、
前記シールド接続手段(40)は、前記端子ピン保持部(30)に設けられた前記各端子ピン(4,4a)のうちの少なくとも１個のアース用端子ピン(4a)の下端部(4b)に形成された曲折部(4c)よりなり、前記曲折部(４c)が前記一面(1a)に導通していることを特徴とするレゾルバハーネスのシールド接続方法。
【請求項６】
前記曲折部(4c)には突起(4d)が形成され、前記突起(4d)が前記一面(1a)に直接接触していることを特徴とする請求項５記載のレゾルバハーネスのシールド接続方法。
【請求項７】
前記端子ピン保持部(30)は、前記各端子ピン(4,4a)をインサート成形によって保持し前記一面(1a)に設けられた端子ピンホルダ(5)と、前記端子ピンホルダ(5)に設けられ前記レゾルバハーネス(6)の各リード線(7,7a)をインサート成形して有するハーネスホルダ(8)と、から構成され、前記各端子ピン(4,4a)は前記一面(1a)に形成さされた長孔(1b)を貫通していることを特徴とする請求項５又は６記載のレゾルバハーネスのシールド接続方法。
【請求項８】
前記各端子ピン(4,4a)と前記レゾルバハーネス(6)との間には、前記各端子ピン(4,4a)にその一端(20a)が接続された長手板状の金属舌片(20)が設けられていることを特徴とする請求項５ないし７の何れか１項に記載のレゾルバハーネスのシールド接続方法。
【発明の詳細な説明】
【技術分野】
【０００１】
本発明は、レゾルバハーネスのシールド接続構造及び方法に関し、特に、端子ピンのうちの少なくとも１個を輪状ステータの一面に接触させてハーネスシールド部の輪状ステータへの導通を簡単かつ確実に取るようにするための新規な改良に関する。
【背景技術】
【０００２】
従来、用いられていたこの種のレゾルバハーネスのシールド構造としては、例えば、特許文献１の「レゾルバステータ」に開示されているように、図示していないが、輪状ステータのボビンの端面を、端部シールドと側部シールドで取り囲んでステータ巻線を磁界ノイズや電界ノイズから遮断したものは提案されているが、レゾルバステータに設けられた端子保持部のリード線束であるレゾルバハーネスのシールド部の接地構造については、特に、その構成を示す特許文献は示されていないが、本出願人の製品としては、図１１で示される構成を挙げることができる。
【０００３】
すなわち、図１０において符号１で示されるものは、所定角度間隔で外方に向けて突出する突出磁極２を一体に有する輪状ステータであり、この輪状ステータ１の両面（図では一面のみ示している）には、インサート成形によって一体成形された輪状絶縁カバー３が前記各突出磁極２の両面に形成されている。
【０００４】
前記輪状ステータ１の一面１ａには、複数の端子ピン４を有する端子ピンホルダ５が設けられ、前記端子ピンホルダ５には、レゾルバハーネス６の複数のリード線７をインサート成形して有するハーネスホルダ８が重合するように成形等により設けられている。尚、前記端子ピンホルダ５とハーネスホルダ８により端子ピンホルダ３０が形成されている。
【０００５】
前記各リード線７のうちの１本のリード線７ａの先端には丸端子９が接続され、この丸端子９は、矢印にて示されるように、前記輪状ステータ１の一面１ａに形成されている長孔１ｂに対して図示しないボルト等によって固定されている。
前記リード線７ａは、前記レゾルバハーネス６の外周に設けられた筒状のハーネスシールド部１０に導通接続されている。尚、前記丸端子９は、シールド接続手段４０を形成している。
【先行技術文献】
【特許文献】
【０００６】
【特許文献１】特開２０１３−１６５６０８号公報
【発明の概要】
【発明が解決しようとする課題】
【０００７】
従来のレゾルバハーネスのシールド接続構造は、以上のように構成されていたため、次のような課題が存在していた。
すなわち、レゾルバの取付時に、丸型端子を輪状ステータの長孔に取付けなければならず、丸型端子を有するリード線が端子ピンホルダから離間した位置に配置されることになり、車輌等の装置にレゾルバを取付ける際の障害となっていた。
【０００８】
本発明は、以上のような課題を解決するためになされたもので、特に、端子ピンのうちの少なくとも１個を輪状ステータの一面に接触させてハーネスシールド部の輪状ステータへの導通を簡単かつ確実に取るようにしたレゾルバハーネスのシールド接続構造及び方法を提供することを目的とする。
【課題を解決するための手段】
【０００９】
本発明によるレゾルバハーネスのシールド接続構造は、所定角度間隔で内方又は外方に向けて突出する複数の突出磁極を有する輪状ステータと、前記各突出磁極に巻回されるステータ巻線と、前記輪状ステータの一面に設けられ複数の端子ピンを有する端子ピン保持部と、前記端子ピン保持部に接続されハーネスシールド部を有するレゾルバハーネスと、を備え、前記ハーネスシールド部はシールド接続手段を介して前記輪状ステータの一面に導通接続されているレゾルバハーネスのシールド接続構造において、前記シールド接続手段は、前記端子ピン保持部に設けられた前記各端子ピンのうちの少なくとも１個のアース用端子ピンの下端部に形成された曲折部よりなり、前記曲折部が前記一面に導通している構成であり、また、前記曲折部には突起が形成され、前記突起が前記一面に直接接触している構成であり、また、前記端子ピン保持部は、前記各端子ピンをインサート成形によって保持し前記一面に設けられた端子ピンホルダと、前記端子ピンホルダに設けられ前記レゾルバハーネスの各リード線をインサート成形して有するハーネスホルダと、から構成され、前記各端子ピンは前記一面に形成された長孔を貫通している構成であり、また、前記各端子ピンと前記レゾルバハーネスとの間には、前記各端子ピンにその一端が接続された長手板状の金属舌片が設けられている構成であり、また、本発明によるレゾルバハーネスのシールド接続方法は、所定角度間隔で内方又は外方に向けて突出する複数の突出磁極を有する輪状ステータと、前記各突出磁極に巻回されるステータ巻線と、前記輪状ステータの一面に設けられ複数の端子ピンを有する端子ピン保持部と、前記端子ピン保持部に接続されハーネスシールド部を有するレゾルバハーネスと、を備え、前記ハーネスシールド部はシールド接続手段を介して前記輪状ステータの一面に導通接続されているレゾルバハーネスのシールド接続構造において、前記シールド接続手段は、前記端子ピン保持部に設けられた前記各端子ピンのうちの少なくとも１個のアース用端子ピンの下端部に形成された曲折部よりなり、前記曲折部が前記一面に導通している方法であり、また、前記曲折部には突起が形成され、前記突起が前記一面に直接接触している方法であり、また、前記端子ピン保持部は、前記各端子ピンをインサート成形によって保持し前記一面に設けられた端子ピンホルダと、前記端子ピンホルダに設けられ前記レゾルバハーネスの各リード線をインサート成形して有するハーネスホルダと、から構成され、前記各端子ピンは前記一面に形成さされた長孔を貫通している方法であり、また、前記各端子ピンと前記レゾルバハーネスとの間には、前記各端子ピンにその一端が接続された長手板状の金属舌片が設けられている方法である。
【発明の効果】
【００１０】
本発明によるレゾルバハーネスのシールド接続構造及び方法は、以上のように構成されているため、次のような効果を得ることができる。
すなわち、所定角度間隔で内方又は外方に向けて突出する複数の突出磁極を有する輪状ステータと、前記各突出磁極に巻回されるステータ巻線と、前記輪状ステータの一面に設けられ複数の端子ピンを有する端子ピン保持部と、前記端子ピン保持部に接続されハーネスシールド部を有するレゾルバハーネスと、を備え、前記ハーネスシールド部はシールド接続手段を介して前記輪状ステータの一面に導通接続されているレゾルバハーネスのシールド接続構造において、前記シールド接続手段は、前記端子ピン保持部に設けられた前記各端子ピンのうちの少なくとも１個のアース用端子ピンの下端部に形成された曲折部よりなり、前記曲折部が前記一面に導通していることにより、レゾルバハーネスのシールド部が既に輪状ステータに接続されていることにより、レゾルバ組立て後にアース接続をする必要がなく、従来の作業を省略でき、レゾルバの組立て作業を従来よりも大幅に省力化できる。
また、前記曲折部には突起が形成され、前記突起が前記一面に直接接触していることにより、端子ピンを介してハーネスシールド部のアースを簡単に得ることができる。
また、前記端子ピン保持部は、前記各端子ピンをインサート成形によって保持し前記一面に設けられた端子ピンホルダと、前記端子ピンホルダに設けられ前記レゾルバハーネスの各リード線をインサート成形して有するハーネスホルダと、から構成され、前記各端子ピンは前記一面に形成された長孔を貫通していることにより、端子ピン保持部は簡単に輪状ステータに取付けることができる。
また、前記各端子ピンと前記レゾルバハーネスとの間には、前記各端子ピンにその一端が接続された長手板状の金属舌片が設けられていることにより、レゾルバハーネスと各端子ピンとをインサート成形した金属舌片によって簡単に接続することができる。
【図面の簡単な説明】
【００１１】
【図１】本発明によるレゾルバハーネスのシールド接続構造及び方法の要部を示す斜視図である。
【図２】図１の要部の拡大斜視図である。
【図３】図2の端子ピンと金属舌片の接続構造を示す拡大斜視図である。
【図４】図３の要部を示す拡大斜視図である。
【図５】図４の要部を示す拡大正面図である。
【図６】図５の平面図である。
【図７】図５の底面図である。
【図８】図５の左側面図である。
【図９】図５の右側面図である。
【図１０】従来構造を示す斜視構成図である。
【発明を実施するための形態】
【００１２】
本発明によるレゾルバハーネスのシールド接続構造及び方法は、端子ピンのうちの少なくとも１個を輪状ステータの一面に接触させてハーネスシールド部の輪状ステータへの導通を簡単かつ確実に取ることである。
【実施例】
【００１３】
以下、図面と共に本発明によるレゾルバハーネスのシールド接続構造及び方法の好適な実施の形態について説明する。
尚、従来例と同一又は同等部分には、同一符号を用いて説明する。
図１において符号１で示されるものは、所定角度間隔で外方に向けて突出する突出磁極２を一体に有する輪状ステータであり、この輪状ステータ１の両面（図では一面のみ示している）には、インサート成形によって一体成形された輪状絶縁カバー３が前記各突出磁極２の両面に形成されている。
【００１４】
前記輪状ステータ１の一面１ａには、複数の端子ピン４を有する端子ピンホルダ５が設けられ、前記端子ピンホルダ５には、レゾルバハーネス６の複数のリード線７をインサート成形してハーネスホルダ８が重合するように成形等により設けられている。尚、前記端子ピンホルダ５とハーネスホルダ８により端子ピンホルダ３０が形成されている。
前記端子ピンホルダ５は、図１０の従来構成と同様に、前記輪状ステータ１の長孔１ｂを利用し、この長孔１ｂと一体成形によって取付けられている。
【００１５】
前記各端子ピン４の頂部には、長手の平板状をなす金属舌片２０の一端２０ａが機械的係合又は溶接等によって結合されており、その他端２０ｂは前記輪状ステータ１の外方へ向けて延設されている。
前記金属舌片２０の他端２０ｂには、前記ハーネスシールド部１０の各リード線７が接続されるように構成されている。
【００１６】
前記各金属舌片２０の一端２０ａが接続された各端子ピン４のうち、一端側に位置する少なくとも１個のアース用端子ピン４ａは、その下端部４ｂが前記輪状ステータ１の外側へ向けてＬ字型に曲折する曲折部４ｃが形成され、この曲折部４ｃの下面４ｃａには半球状をなす突起４ｄが形成されている。
【００１７】
前記アース用端子ピン４ａの前記突起４ｄは、図３及び図５から図９の状態でも明らかなように、各端子ピン４は、前記輪状ステータ１の長孔１ｂを貫通しているが、前記アース用端子ピン４ａは前記長孔１ｂを貫通することなく、前記一面１ａに接触して導通されている。
【００１８】
前記各金属舌片２０の各他端２０ｂには、前記レゾルバハーネス６に接続されたハーネスシールド部１０の各リード線７が接続され、各リード線７のうちの少なくとも１本の最も側部側に位置するアース用リード線７ａは、前記アース用端子ピン４ａに接続されたアース用金属舌片２０ｃの他端２０ｂに溶接等で接続されている。尚、前述のアース用金属舌片２０ｃ、アース用端子ピン４ａ、下端部４ｂ、下面４ｃａにより、シールド接続手段４０が形成され、前記突起４ｄを用いると一面１ａへの接触がより確実となる。
【００１９】
次に、前述の構成による本発明によるレゾルバハーネスのシールド接続構造におけるシールド接続方法について述べる。
まず、図２で示されるように、各端子ピン４，４ａを有する端子ピンホルダ５を前記輪状絶縁カバー３を輪状ステータにインサート成形する時に、共に一体成形する。
【００２０】
次に、前述の各金属舌片２０,２０ｃの各一端２０ｃを、図２から図４で示されるように、各端子ピン４,４ａに溶接等で接続した後に、前記各金属舌片２０、２０ｃの他端２０ｂにハーネスシールド部１０の各リード線７,７ａを接続する。
次に、前述の状態で、前記輪状ステータ１を射出成形機の金型のキャビティ(図示せず)内に設置し、射出成形を行うと、図１で示されるように、図２の端子ピンホルダ５を覆うようにしてハーネスホルダ８が一体成形され、前記ハーネスシールド部１０に接続されたアース用リード線７ａが、前記アース用舌片２０ｃ、アース用端子ピン４ａ及び曲折部４ｃの突起４ｄ（この突起４ｄがなくて曲折部４ｃのみも可）が輪状ステータ１の一面１ａに接触し、前記ハーネスシールド部１０が前記一面１ａに対して導通接続されてアース接続が完了した輪状ステータ１を得ることができる。尚、前述の構成では、突出磁極２が外方に突出させているが、内方に突出させたインナロータ型でも可である。
【００２１】
また、本発明によるレゾルバハーネスのシールド接続構造及び方法をまとめると、次の通りである。
すなわち、所定角度間隔で内方又は外方に向けて突出する複数の突出磁極２を有する輪状ステータ１と、前記各突出磁極２に巻回されるステータ巻線と、前記輪状ステータ１の一面１ａに設けられ複数の端子ピン４，４ａを有する端子ピン保持部３０と、前記端子ピン保持部３０に接続されハーネスシールド部１０を有するレゾルバハーネス６と、を備え、前記ハーネスシールド部１０はシールド接続手段４０を介して前記輪状ステータ１の一面１ａに導通接続されているレゾルバハーネスのシールド接続構造において、前記シールド接続手段４０は、前記端子ピン保持部３０に設けられた前記各端子ピン４，４ａのうちの少なくとも１個のアース用端子ピン４ａの下端部４ｂに形成された曲折部４ｃよりなり、前記曲折部４ｃが前記一面１ａに導通している構成と方法であり、また、前記曲折部４ｃには突起４ｄが形成され、前記突起４ｄが前記一面１ａに直接接触している構成と方法であり、また、前記端子ピン保持部３０は、前記各端子ピン４，４ａをインサート成形によって保持し前記一面１ａに設けられた端子ピンホルダ５と、前記端子ピンホルダ５に設けられ前記レゾルバハーネス６の各リード線７，７ａをインサート成形して有するハーネスホルダ８と、から構成され、前記各端子ピン４，４ａは前記一面１ａに形成された長孔１ｂを貫通している構成と方法であり、また、前記各端子ピン４，４ａと前記レゾルバハーネス６との間には、前記各端子ピン４，４ａにその一端２０ａが接続された長手板状の金属舌片２０が設けられている構成と方法である。
【産業上の利用可能性】
【００２２】
本発明によるレゾルバハーネスのシールド接続構造及び方法は、端子ピンのうちの少なくとも１個を輪状ステータの一面に接触させてハーネスシールド部の輪状ステータへの導通を簡単かつ確実に取るようにしたレゾルバハーネスのシールド接続構造及び方法であるため、レゾルバだけではなく、モータ等への応用も可である。
【符号の説明】
【００２３】
１    輪状ステータ
１ａ    一面
１ｂ    長孔
２    突出磁極
３    輪状絶縁カバー
４    端子ピン
４ａ    アース用端子ピン
４ｂ    下端部
４ｃ    曲折部
４ｃａ    下面
４ｄ    突起
５    端子ピンホルダ
６    レゾルバハーネス
７    リード線
７ａ    アース用リード線
８    ハーネスホルダ
１０    ハーネスシールド部
２０    金属舌片
２０ａ    一端
２０ｂ    他端
２０ｃ    アース用舌片
３０    端子ピン保持部
４０    シールド接触手段
【図１】
2015177716.tif 000003
【図２】
2015177716.tif 000004
【図３】
2015177716.tif 000005
【図４】
2015177716.tif 000006
【図５】
2015177716.tif 000007
【図６】
2015177716.tif 000008
【図７】
2015177716.tif 000009
【図８】
2015177716.tif 000010
【図９】
2015177716.tif 000011
【図１０】
2015177716.tif 000012